(57)【要約】【課題】従前のガス警報器をそのまま利用することができ、かつシステムキッチンの引出しの引出し時にも何ら干渉することがなく、その取付位置を自由に設定する。【構成】壁面Ｗに矩形の開口Ｈを形成した後、この開口Ｈに対応する開口側が開放された箱型形状の取付箱体１１の底板１３表面にコンセント１５およびガス警報器Ｋを取付けるための係止部１７を配してなる取付箱１９を、取付箱１９のコンセント１５を予め壁面Ｗ内側に配した電源コードと接続した後、開口Ｈ内に嵌挿させて壁面Ｗに固定した後、ガス警報器Ｋの電源プラグＰを取付箱１９のコンセント１５に挿着させ、ガス警報器Ｋを係止部１７に係止させることにより、取付けることを特徴とする。【選択図】  図１
2013025443.tif 000002
【特許請求の範囲】
【請求項１】
壁面に矩形の開口を形成した後、この開口に対応する開口側が開放された箱型形状の取付箱体の底板表面にコンセントおよびガス警報器を取付けるための係止部を配してなる取付箱を、取付箱のコンセントを予め壁面内側に配した電源コードと接続した後、開口内に嵌挿させて壁面に固定した後、ガス警報器の電源プラグを取付箱のコンセントに挿着させ、ガス警報器を係止部に係止させることにより、取付けることを特徴とするガス警報器の取付方法。
【請求項２】
取付箱の深さをガス警報器の高さより長くしたことを特徴とする請求項１記載のガス警報器の取付方法。
【請求項３】
係止部を、ガス警報器裏面に配した係止溝と、取付箱の係止部を前記係止溝に対応する係止凸条と、により構成したことを特徴とする請求項１または請求項２記載のガス警報器の取付方法。
【請求項４】
壁面に形成した矩形の開口に対応し、開口側が開放された箱型形状の取付箱体の底板表面にコンセントおよびガス警報器を取付けるための係止部を配してなり、
このコンセントを予め壁面内側に配した電源コードと接続可能とし、コンセントおよび係止部を配した取付箱を開口内に嵌挿させて壁面に固定可能としたことを特徴とするガス警報器取付ユニット。
【請求項５】
取付箱の深さをガス警報器の高さより長くしたことを特徴とする請求項４記載のガス警報器取付ユニット。
【請求項６】
係止部を、ガス警報器裏面に配した係止溝と、取付箱の係止部を前記係止溝に対応する係止凸条と、により構成したことを特徴とする請求項４または請求項５記載のガス警報器取付ユニット。
【発明の詳細な説明】
【技術分野】
【０００１】
本発明は、家屋室内の壁面へのガス警報器の取付方法およびその取付ユニットに関するものである。
【背景技術】
【０００２】
従来、ガス、主に空気より比重の重いプロパンガスの漏れを警告するためのガス警報器を、家屋室内の壁面に取付ける方法としては、ガス警報器の電源プラグを、壁面の表面に露出した電源コンセントに、挿着すると共に、ガス警報器をネジ等の止着具にて直接壁面に固定し、またはガス警報器裏面に配した係止溝を、壁面に止着された、係止溝に対応する係止部を備えた固定具に、係止させることにより固定し、取付けていた。
【０００３】
また、美観を向上させるため、予め壁面に凹部を形成し、この凹部内にコンセントを配し、このコンセントに挿着すべく電源プラグを裏面側に一体成形したガス警報器の電源プラグを液密状態で装着することが知られている（特許文献１参照）。
【０００４】
このガス警報器の取付構造は、ガス警報器の表面部に配した検知部を壁面より外側（室内側）に突出させた状態とし、ガス検知感度を向上させたものであった。
【０００５】
また、ガス警報器の設置位置は、液化石油ガスの保安の確保及び取引の適正化に関する法律にて、空気より比重が重いプロパンガス、都市ガスの場合、火気より水平距離が４メートル以内、床から３０センチ以内と規定されている。
【先行技術文献】
【特許文献】
【０００６】
【特許文献１】実用新案登録第２５４９０１３号公報
【発明の概要】
【発明が解決しようとする課題】
【０００７】
特許文献１に開示されたガス警報器の取付構造によれば、従来の取付構造に比べ一応美観を向上させる効果を奏するものの、ガス警報器を取付ける壁面と、ガス器具を備えたシステムキッチンとの間隔が全くない場合、ガス警報器の検知部が壁面より外側（室内側）に突出しているため、システムキッチンの食器類を収納した引出しを引出すのに干渉し、引出し不能となり、このため引出す際に干渉しない位置までガス警報器の取付位置をずらす必要があった。
【０００８】
この際、ずらしたガス警報器が他の台所収納家具類に干渉することがしばしばあり、その位置を決定するために、多大な注意および労力が必要であった。
【０００９】
また、ガス警報器自体を、裏面に電源プラグを直接配した特殊な構造としなければならず、このためコストが高騰する要因となっていた。
【００１０】
本発明はこのような欠点に鑑み、従前のガス警報器をそのまま利用することができ、かつシステムキッチンの引出しの引出し時にも何ら干渉することがなく、その取付位置も自由に設定することができるガス警報器取付方法およびその取付ユニットを提供することを目的とする。
【課題を解決するための手段】
【００１１】
本発明に係るガス警報器取付方法およびその取付ユニットは、壁面に矩形の開口を形成した後、この開口に対応する開口側が開放された箱型形状の取付箱体の底板表面にコンセントおよびガス警報器を取付けるための係止部を配してなる取付箱を、取付箱のコンセントを予め壁面内側に配した電源コードと接続した後、開口内に嵌挿させて壁面に固定した後、ガス警報器の電源プラグを取付箱のコンセントに挿着させ、ガス警報器を係止部に係止させることにより、取付けることを特徴とするもの、
または、取付箱の深さをガス警報器の高さより長くしたことを特徴とするもの、
または、係止部を、ガス警報器裏面に配した係止溝と、取付箱の係止部を前記係止溝に対応する係止凸条と、により構成したことを特徴とるすものである。
【発明の効果】
【００１２】
本発明に係るガス警報器取付方法およびその取付ユニットによれば、ガス警報器を取付ける壁面と、ガス器具を備えたシステムキッチンとの間隔が全くない場合でも、システムキッチンの引出しの引出し時にも何ら干渉することがなく、ガス警報器の取付位置が制限されることがなく、自由にその取付位置を設定することができる。
【００１３】
また、取付箱の深さをガス警報器の高さより長くすることにより、システムキッチンの引出しの引出し時の干渉を皆無とすることができる。
【００１４】
また、係止部を、ガス警報器裏面に配した係止溝と、取付箱の係止部を前記係止溝に対応する係止凸条と、することにより、極めて容易にガス警報器を取付箱に取付けることができる。
【図面の簡単な説明】
【００１５】
【図１】本発明に係るガス警報器取付ユニットの要部斜視図である。
【図２】同、拡大側面図である。
【図３】同、使用状態を示す斜視図である。
【図４】同、要部側面図である。
【図５】同、他の要部側面図である。
【発明を実施するための形態】
【００１６】
従前のガス警報器をそのまま利用することができ、かつシステムキッチンの引出しの引出し時にも何ら干渉することがなく、その取付位置を自由に設定する目的を、壁面に形成した矩形の開口と、この開口に対応する開口側が開放された箱型形状の取付箱体の底板表面にコンセントおよびガス警報器を取付けるための係止部を配してなる取付箱と、従前のガス警報器と、により実現した。
【実施例１】
【００１７】
図１−４を参照して本発明に係るガス警報器取付ユニットについて説明する。
本発明に係るガス警報器取付ユニットは、壁面Ｗに形成した矩形の開口Ｈと、この開口Ｈに対応する開口側が開放された箱型形状の取付箱体１１の底板１３表面にコンセント１５およびガス警報器Ｋを取付けるための係止部１７を配してなる取付箱１９と、従前のガス警報器Ｋと、からなるものである。
【００１８】
本例において、ガス警報器Ｋは主に空気より比重が重いプロパンガス、都市ガス用のものであるため、壁面Ｗに形成する開口Ｈは壁面Ｗの下端から約３０センチまでの位置としてある。
【００１９】
この開口Ｈ位置の高さは、液化石油ガスの保安の確保及び取引の適正化に関する法律にて、その数値が３０センチ以内と規定されているからである。
【００２０】
また、取付箱体１２の形状は略直方体型であり、コンセント１５はガス警報器Ｋおよび他の家電製品を接続できるように２個配してある。
【００２１】
また、取付箱１９へガス警報器Ｋを取付けるための係止構造は、取付箱体１１の底板１３表面に側面逆Ｌ字型の第１係止凸条１７ａと側面矩形型の第２係止凸条１７ｂとからなる係止部１７と、ガス警報器Ｋ裏面側に配した、前記係止部１７に対応する係止溝２１と、により構成され、ガス警報器Ｋの係止溝２１を、取付箱１９の係止部１７に係止させることにより、ガス警報器Ｋを取付箱１９に取付けるものである。
【００２２】
本例において、取付箱１９の深さをガス警報器Ｋの高さより長くしてあるため、システムキッチンＳの引出しＤを引出した際にも全く干渉することがなく、引出しＤを自由に使用することができる。
【００２３】
なお、図中Ａはガス検知部、Ｂは警告ランプを示す。
本発明に係るガス警報器取付ユニットを壁面Ｗの開口Ｈに取付け、このユニットにガス警報器Ｋを取付ける方法を以下に詳述する。
【００２４】
本発明のガス警報器取付ユニットを取付ける壁構造は、木造軸組在来工法、等にて構築された家屋の壁面Ｗである。
【００２５】
まず、壁面Ｗの下方から約３０センチまでの位置に矩形の開口Ｈを形成する。
この際、開口Ｈの形成位置は、液化石油ガスの保安の確保及び取引の適正化に関する法律にて規定されている数値内であれば３０センチに限定されることはない。
【００２６】
次に、開口Ｈに対応する開口側が開放された取付箱１９のコンセント１５を、予め壁面Ｗ内側に配した電源コード（図示略）と、接続する。
【００２７】
次に、取付箱１９を開口Ｈ内に嵌挿させて壁面Ｗに固定する。
この際、取付構造は、ネジ、その他の止着具により固定すればよく、特にその構造は限定されることはない。
【００２８】
次に、ガス警報器Ｋの電源プラグＰを取付箱１９のコンセント１５に挿着させ、ガス警報器Ｋを係止部１７に係止させて、ガス警報器Ｋを取付ける。
【００２９】
このように、ガス警報器Ｋの上部表面（図２において左側の面）が壁面Ｗ表面より突出することがなく、取付箱１９内に収納された状態となるため、ガス警報器Ｋを取付ける壁面Ｗと、ガス器具を備えたシステムキッチンＳとの間隔が全くない場合でも、システムキッチンＳの引出しＤを引出した際にも何ら干渉することがなく、引出しＤを自由に使用することができる。
【００３０】
また、ガス警報器Ｋの取付位置が制限されることがないため、自由にその取付位置を設定することができる。
【実施例２】
【００３１】
図４の二点鎖線にて、本発明にガス警報器取付ユニットの別の例が示してある。
【００３２】
本例は、取付箱１９の下辺部が手前側に向けて低くなるように傾斜させた形状としたものであり、このことにより、室内で発生する塵、埃、等が取付箱１９内に堆積することがなくなるばかりか、ガス警報器Ｋの取付箱１９への取付けおよび他の家電製品のプラグのコンセント１５への挿着、作業がし易くなる効果を奏する。
【００３３】
なお、両例において、壁面Ｗに形成する開口Ｈの形状は矩形であるが、楕円形、菱形、星形、その他の形状とすることは自由である。
【００３４】
また、コンセント１５の数は２個であるが、１個としてもよく、３個以上としてもよいことは自明である。
【００３５】
また、係止部１７は第１、第２係止凸条１７ａ，１７ｂおよびガス警報器Ｋの係止溝２１とからなるものであるが、第１、第２係止凸条１７ａ，１７ｂをガス警報器Ｋを挟込む一対の構造体とすることにより、ガス警報器Ｋの係止溝２１を省略し、従前のガス警報器をそのまま使用することができ、さらに別の形状とすることも自明である。
【００３６】
また、取付箱１９の下辺部が手前側に向けて低くなるように傾斜させた形状とすることに加え、取付箱１９の両側辺部を下方に向けてその間隔が広くなるように傾斜させた形状とすることにより、取付箱１９内への塵、埃、等の堆積をより効率的に防止することができる。
【００３７】
また、ガス警報器として、空気より比重が軽い都市ガス用のものを使用する際には、取付ユニットの取付け位置を壁面の上方とすることは自明である。
【００３８】
また、ガス警報器として、空気の比重と比較すると1.5倍重く、漏洩すると床面に滞留するプロパンガス用のものを使用する際には、図５に示すように取付ユニット自体の取り付け位置を全体として下方とし、かつコンセント１５及びガス警報器Ｋの取付け位置をコンセント１５が上、ガス警報器Ｋを下とすることによって、ガス警報器Ｋの検知性能をより高くすることができる。
【００３９】
なおその際、取付箱１９の上辺部が手前側に向けて高くなるように傾斜させた形状とすることによってガス警報器Ｋの取付箱１９への取付けおよび他の家電製品のプラグのコンセント１５への挿着、作業を容易にすることができる。
【００４０】
以上本発明の実施例について説明したが、本発明は前記両実施例に何等限定されるものではなく、本発明の要旨を逸脱しない範囲において種々なる態様で実施し得ることはもちろんである。
【産業上の利用可能性】
【００４１】
本発明に係るガス警報器取付方法およびその取付ユニットは、ガス警報器用としてのみならず、他の警報器用または家電製品用にも適用できる。
【符号の説明】
【００４２】
１１  取付箱体
１３  底板
１５  コンセント
１７  係止部
１７ａ  第１係止凸条
１７ｂ  第２係止凸条
１９  取付箱
２１  係止溝
Ｋ  ガス警報器
Ｗ  壁面
Ｈ  開口
【図１】
2013025443.tif 000003
【図２】
2013025443.tif 000004
【図３】
2013025443.tif 000005
【図４】
2013025443.tif 000006
【図５】
2013025443.tif 000007